【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
ディスプレイに表示される画像の少なくとも一部の領域に関する呼称を定義する呼称定義機能と、
前記画像を前記ディスプレイに表示させるとともに、前記呼称を前記領域に関連付けて一時的に前記ディスプレイに表示させる表示制御機能と、
前記画像に対する音声入力を取得する音声入力取得機能と、
前記音声入力に前記呼称が含まれる場合に、前記領域に関するコマンドを発行するコマンド発行機能と
を実現するプロセッサを備える情報処理装置。
【請求項２】
前記領域は、上位レイヤ領域と下位レイヤ領域とを含み、
前記表示制御機能は、前記上位レイヤ領域が前記ディスプレイに表示されている場合に、前記表示された上位レイヤ領域に少なくとも一部が包含される下位レイヤ領域の呼称を表示させる、請求項１に記載の情報処理装置。
【請求項３】
前記コマンド発行機能は、前記下位レイヤ領域を拡大表示させるコマンドを発行する、請求項２に記載の情報処理装置。
【請求項４】
前記領域は、前記下位レイヤ領域のさらに下位のレイヤ領域を含み、
前記表示制御機能は、前記下位レイヤ領域が拡大表示された場合に、前記下位レイヤ領域に少なくとも一部が包含される、前記下位レイヤ領域のさらに下位のレイヤ領域の呼称を表示させる、請求項３に記載の情報処理装置。
【請求項５】
前記コマンド発行機能は、前記下位レイヤ領域を選択状態にするコマンドを発行する、請求項２〜４のいずれか１項に記載の情報処理装置。
【請求項６】
前記領域は、前記下位レイヤ領域のさらに下位のレイヤ領域を含み、
前記表示制御機能は、前記下位レイヤ領域が選択状態になった場合に、前記下位レイヤ領域に少なくとも一部が包含される、前記下位レイヤ領域のさらに下位のレイヤ領域の呼称を表示させる、請求項５に記載の情報処理装置。
【請求項７】
前記コマンド発行機能は、前記下位レイヤ領域のさらに下位のレイヤ領域を拡大表示させるコマンドを発行する、請求項６に記載の情報処理装置。
【請求項８】
前記上位レイヤ領域は、前記画像の全体の領域に対応し、
前記下位レイヤ領域は、前記画像に含まれる複数のサブ画像のそれぞれの表示領域に対応する、請求項２〜７のいずれか１項に記載の情報処理装置。
【請求項９】
前記コマンド発行機能は、前記複数のサブ画像のうち前記音声入力に含まれる呼称に対応するサブ画像を前記画像の全体の領域に拡大表示させるコマンドを発行する、請求項８に記載の情報処理装置。
【請求項１０】
前記上位レイヤ領域は、前記画像の全体の領域に表示されるアプリケーション画像に対応し、
前記下位レイヤ領域は、前記アプリケーション画像に含まれるＧＵＩコンポーネントの領域に対応する、請求項２〜７のいずれか１項に記載の情報処理装置。
【請求項１１】
前記上位レイヤ領域は、前記画像の全体の領域に対応し、
前記下位レイヤ領域は、前記画像において認識された複数の被写体領域のそれぞれに対応する、請求項２に記載の情報処理装置。
【請求項１２】
前記コマンド発行機能は、前記複数の被写体領域のうち前記音声入力に含まれる呼称に対応する被写体領域を基準にして前記画像を拡大表示させるコマンドを発行する、請求項１１に記載の情報処理装置。
【請求項１３】
前記下位レイヤ領域は、前記上位レイヤ領域に全部が包含される、請求項２〜１２のいずれか１項に記載の情報処理装置。
【請求項１４】
前記呼称定義機能は、前記領域に関する設定情報に基づいて前記呼称を定義する、請求項１〜１３のいずれか１項に記載の情報処理装置。
【請求項１５】
前記呼称定義機能は、前記領域の前記画像内での位置に基づいて前記呼称を定義する、請求項１〜１４のいずれか１項に記載の情報処理装置。
【請求項１６】
前記呼称定義機能は、前記領域の表示態様の時系列的な変化に基づいて前記呼称を定義する、請求項１〜１５のいずれか１項に記載の情報処理装置。
【請求項１７】
前記表示制御機能は、前記音声入力に含まれる呼称を前記ディスプレイに表示させる、請求項１〜１６のいずれか１項に記載の情報処理装置。
【請求項１８】
前記表示制御機能は、前記発行されたコマンドを前記ディスプレイに表示させる、請求項１〜１７のいずれか１項に記載の情報処理装置。
【請求項１９】
プロセッサが、
ディスプレイに表示される画像の少なくとも一部の領域に関する呼称を定義することと、
前記画像を前記ディスプレイに表示させるとともに、前記呼称を前記領域に関連付けて一時的に前記ディスプレイに表示させることと、
前記画像に対する音声入力を取得することと、
前記音声入力に前記呼称が含まれる場合に、前記領域に関するコマンドを発行することと
を含む情報処理方法。
【請求項２０】
ディスプレイに表示される画像の少なくとも一部の領域に関する呼称を定義する呼称定義機能と、
前記画像を前記ディスプレイに表示させるとともに、前記呼称を前記領域に関連付けて一時的に前記ディスプレイに表示させる表示制御機能と、
前記画像に対する音声入力を取得する音声入力取得機能と、
前記音声入力に前記呼称が含まれる場合に、前記領域に関するコマンドを発行するコマンド発行機能と
をコンピュータに実現させるためのプログラム。
【手続補正２】
【補正対象書類名】明細書
【補正対象項目名】００５７
【補正方法】変更
【補正の内容】
【００５７】
また、ユーザが所定の音声入力（例えば、「Show  Commands」など）を表示装置１００に与えた場合、コマンド発行機能１５９は、表示制御機能１５５に対して、呼称ＡＴ３−１〜ＡＴ３−５および枠線、ならびに呼称Ｃ１，Ｃ２を再びディスプレイ１１０に表示させることを要求するコマンドを発行する。表示制御機能１５５は、このコマンドに応じて、上記の呼称および枠線を再びディスプレイ１１０に表示させる。このときに表示される呼称および枠線は、最初に表示されたときと同様に表示が開始されてから所定の時間で消滅してもよいし、ユーザによって意図的に呼び出されたことを考慮して、自動的には消滅しないように設定されていてもよい。この場合、ユーザが別の所定の音声入力（例えば、「Hide  Commands」など）を表示装置１００に与えた場合に、表示制御機能１５５はこれらの呼称および枠線の表示を終了しうる。
【手続補正３】
【補正対象書類名】明細書
【補正対象項目名】００６８
【補正方法】変更
【補正の内容】
【００６８】
このとき、コマンド発行機能１５９は、音声入力から音声認識によって抽出されたテキストに基づいてコマンドＤＢ１６１を参照し、「Zoom  in」という操作コマンドの名称と、「Boy」という領域の呼称とを発見する。そこで、コマンド発行機能１５９は、画像生成機能１５１に対して、レイヤ３−３の領域を基準にして画像を拡大表示させることを要求するコマンドを発行する。画像生成機能１５１は、このコマンドに応じて、図８Ｃに示すように、レイヤ３−３の領域を基準にして拡大された画像を生成し、表示制御機能１５５がこの画像をディスプレイ１１０に表示させる。上記の図８Ｂの状態において、レイヤ２の領域の呼称（ＡＴ２−１，ＡＴ２−２）に加えて、レイヤ３の一部の領域の呼称（ＡＴ３−３，ＡＴ３−４）が一時的にディスプレイ１１０に表示されたことによって、レイヤ１の領域の画像が表示された状態から、一足飛びに（レイヤ２の領域をスキップして）レイヤ３−３の領域を基準にした画像の拡大表示を実現することができる。
【手続補正４】
【補正対象書類名】明細書
【補正対象項目名】００７０
【補正方法】変更
【補正の内容】
【００７０】
なお、図示された例では、レイヤ３−３の領域を基準にして画像が拡大表示されるのであって、必ずしもレイヤ３−３の領域がディスプレイ１１０の全体に表示されるわけではないため（多くの場合、被写体領域のアスペクト比とディスプレイ１１０のアスペクト比は一致しない）、画像が拡大表示された後もなお、レイヤ３−３の領域について定義された呼称および領域を表示することが有用でありうる。